(57)【要約】【課題】時計において、製造コストの上昇を抑制するとともに、指標板を配置する高さ位置の自由度を高める。【解決手段】第１文字板４０（文字板）よりも上方に突出した指針軸３１と、指針軸３１に取り付けられた時針１１、分針１２、秒針１３、第１指針２１、第２指針２２、第３指針２３（複数の指針）と、各指針１１，１２，１３，２１，２２，２３のそれぞれの、指針軸３１の延びた方向に沿った高さ位置のうち、いずれか２つの指針の高さ位置の間の位置に配置された、透光性を有する環状の第２文字板５０（指標板）とを有し、第２文字板５０は、内周側の部分５２が２つの指針の高さ位置の間に位置し、外周側の部分５１が内周側の部分５２の高さ位置とは異なる高さ位置に支持されている。【選択図】図２A
2014215050.tif 000002
【特許請求の範囲】
【請求項１】
文字板よりも上方に突出した指針軸と、前記指針軸の延びた方向に沿って前記指針軸に取り付けられた複数の指針と、前記複数の指針のそれぞれの、前記指針軸の延びた方向に沿った高さ位置のうち、いずれか２つの指針の高さ位置の間の位置に配置された、透光性を有する環状の指標板とを有し、
前記指標板は、前記環状の内周側の部分が、前記２つの指針の高さ位置の間に位置し、前記環状の外周側の部分が、前記内周側の部分の高さ位置とは異なる高さ位置に支持されていることを特徴とする時計。
【請求項２】
前記指標板よりも高い位置に配置される前記指針のうち少なくとも１つの指針の少なくとも一部が、平面視で前記指標板に重なるように、前記指針または前記指標板が形成されていることを特徴とする請求項１に記載の時計。
【請求項３】
前記指標板は、前記内周側の部分と前記外周側の部分との間に、前記指標板における高さ位置が変化する段差部を有することを特微とする請求項１または２に記載の時計。
【請求項４】
前記複数の指針のうち、前記指標板の前記内周側の部分の高さ位置に最も近い高さ位置の指針は、前記指針軸に支持されている部分と先端部分との間に、高さ位置を変化させる傾斜部が形成されていることを特徴とする請求項１から３のうちいずれか１項に記載の時計。
【請求項５】
前記指標板の一部に、前記指標板の内周側の部分の高さ位置よりも高い位置に配置されて平面視で前記指標板に重なる指針が所定の回転角度位置にあるときに、その指針と前記指標板とが平面視で重ならないように、前記指標板の一部に切欠きが形成されていることを特徴とする請求項１から４のうちいずれか１項に記載の時計。
【請求項６】
前記指標板よりも前記高さ位置が低い位置の、前記指標板の切欠きに対応する部分に、所定の情報を表示する表示部が設けられていることを特微とする請求項５に記載の時計。
【請求項７】
前記指標板よりも前記高さ位置が低い位置に、所定の情報を表示する表示部が設けられ、
前記指標板の、前記表示部に対応する部分に、切欠きが形成されていることを特徴とする請求項１から４のうちいずれか１項に記載の時計。
【請求項８】
前記表示部は、小針により指標を指し示すことで、前記所定の情報を表示するものであることを特徴とする請求項６または７に記載の時計。
【請求項９】
前記表示部は、前記文字板に形成された窓を通して、前記窓の背面側で回転する円板に形成された多数の文字または記号のうち一部を露出させることにより、前記所定の情報を表示するものであることを特徴とする請求項６または７に記載の時計。
【請求項１０】
前記指標板は、前記外周側の部分が前記内周側の部分よりも高い位置に配置されていることを特徴とする請求項１から９のうちいずれか１項に記載の時計。
【請求項１１】
前記外周側の部分、前記内周側の部分、および前記外周側の部分と前記内周側の部分との間の部分にそれぞれ、いずれかの指針によって指示される指標が形成されていることを特徴とする請求項１から１０のうちいずれか１項に記載の時計。
【請求項１２】
前記指標板には、前記文字板に形成された指標に平面視で重ね合わされる位置に、他の指標が形成され、
前記指標板よりも低い位置に配置された指針が、前記文字板に形成された指標に、平面視で重なる範囲を通るように形成されていることを特徴とする請求項１から１１に記載の時計。
【発明の詳細な説明】
【技術分野】
【０００１】
本発明は時計に関し、詳細には多針の時計の改良に関する。
【背景技術】
【０００２】
時計は時刻を表示するものであるが、近年、クロノグラフや高度計、深度計等の、種々の物理量を併せて表示する機能を有するものがある。
【０００３】
このような時刻表示以外の機能を有する時計は、文字板に、時刻用の指標（以下、時刻系指標という。）の他に、上述した時刻以外の各種の物理量を表す指標（以下、機能系指標という。）が表示されているとともに、時刻系指標を指し示す指針（以下、時刻系指針という。）と機能系指標を指し示す指針（以下、機能系指針という。）を備えている。
【０００４】
ここで、表示し得る機能の数が多くなると、指針で指し示すべき指標の種類が増え、文字板上に表示された多数の指標に対して指針が指し示している指標を特定しにくくなる場合がある。
【０００５】
ところで、複数の指針のうち文字板からの高さ方向の異なる２つの指針の間に透光性を有する板状の遮蔽板を配置し、この遮蔽板に模様や目盛等を表示した時計が提案されている（特許文献１）。
特許文献１の時計によればデザインの多様化を図ることができるとともに、指針と遮蔽板との相対的な上下位置関係により、上下の指針の識別を容易にすることができる。
【先行技術文献】
【特許文献】
【０００６】
【特許文献１】実用新案登録第２５１３８０１号公報
【発明の概要】
【発明が解決しようとする課題】
【０００７】
特許文献１に示された遮蔽板（本発明における指標板に相当）は、その外周部分が、ケースの胴や、見返し段部、リング状の文字板等に固定されることで支持されている。
しかし、さらなるデザインの多様化を実現するため、遮蔽板を任意の高さ位置に配置する場合には、遮蔽板の高さ位置に適合するように、指針の高さを変更することとなる。
指針の高さ位置を変更するには、指針を支持している指針軸を変更して専用のムーブメントにする必要があり、製造コストの上昇を招く。
【０００８】
本発明は上記事情に鑑みなされたものであって、製造コストの上昇を抑制するとともに、指標板を配置する高さ位置の自由度を高めることができる時計を提供することを目的とするものである。
【課題を解決するための手段】
【０００９】
本発明に係る時計は、透光性を有する指標板を、内周側の部分と外周側の部分とで高さ位置が異なるものとし、指標板の内周側の部分が、いずれか２つの指針の高さ位置の間に配置され、指標板の外周側の部分が、見返しリングやケース等によって支持されたものとすることで、指針軸や見返しリング等の高さに拘わらず、指標板を配置することができ、ケース等製造コストの上昇を抑制するとともに、指標板を配置する高さ位置の自由度を高めたものである。
【００１０】
すなわち、本発明に係る時計は、文字板よりも上方に突出した指針軸と、前記指針軸の延びた方向に沿って前記指針軸に取り付けられた複数の指針と、前記複数の指針のそれぞれの、前記指針軸の延びた方向に沿った高さ位置のうち、いずれか２つの指針の高さ位置の間の位置に配置された、透光性を有する環状の指標板とを有し、前記指標板は、前記環状の内周側の部分が、前記２つの指針の高さ位置の間に位置し、前記環状の外周側の部分が、前記内周側の部分の高さ位置とは異なる高さ位置に支持されていることを特徴とする。
【発明の効果】
【００１１】
本発明に係る時計によれば、製造コストの上昇を抑制するとともに、指標板を配置する高さ位置の自由度を高めることができる。
【図面の簡単な説明】
【００１２】
【図１】本発明に係る時計の一実施形態である腕時計を示す平面図である。
【図２Ａ】図１のＡ−Ａ線による断面を示す図である。
【図２Ｂ】図２Ａの指針付近を拡大した要部拡大図（端面図）である。
【図３】第１文字板を示す平面図である。
【図４】見返しリングを示す平面図である。
【図５】第２文字板を示す平面図である。
【図６】第２文字板のボスが見返しリングの凹部に嵌め合わされた状態を示す図２相当の断面図である。
【図７】切欠きと時刻系指針との関係を示す平面図である。
【図８】第２文字板に描かれた指標と第１文字板に描かれた指標とが、平面視で一部重なり合った状態を示す、図１の一部を拡大した図である。
【図９】第２文字板の他の形態を示す斜視図である。
【発明を実施するための形態】
【００１３】
以下、本発明に係る時計の実施形態について、図面を用いて説明する。
【００１４】
（構成）
図１に示した腕時計１００（以下、時計１００という。）は、本発明に係る時計の一実施形態としての多機能時計である。
【００１５】
この時計１００は、時針１１、分針１２および秒針１３によって時刻（［時］、［分］、［秒］）を表示するとともに、第１指針２１（小針）、第２指針２２および第３指針２３によって海抜高度をメートル（［ｍ］）単位で表示するものである。
ここで、時針１１、分針１２および秒針１３を、以下、時刻系指針１０と総称し、第１指針２１、第２指針２２および第３指針２３を、以下、機能系指針２０と総称する。
【００１６】
時計１００は、図２Ａ，２Ｂに示すように、ケース７０、風防ガラス８０、ムーブメント９０、時刻系指針１０、機能系指針２０、第１文字板４０（文字板）、第２文字板５０（指標板）、および見返しリング６０を備えている。
【００１７】
ケース７０は、上胴７１、下胴７２、飾りリング７３および裏蓋７４を備えている。
上胴７１および下胴７２は、いずれも概略円環状に形成されている。
上胴７１は、その内周面に円環状のパッキン８１を挟んで風防ガラス８０を支持し、下胴７２は、その内周面に裏蓋７４を支持している。
風防ガラス８０は、例えばサファイヤガラスやクリスタルガラスによって形成されていて、透明度が非常に高いものである。
飾りリング７３は、装飾を目的とした環であり、上胴７１と下胴７２との間に配置されている。
【００１８】
ムーブメント９０、時刻系指針１０、機能系指針２０、第１文字板４０、第２文字板５０、および見返しリング６０は、ケース７０と風防ガラス８０とによって囲まれた内部空間に配置されている。
【００１９】
ムーブメント９０には、裏蓋７４から風防ガラス８０に向かう方向（以下、高さ方向Ｈという。）に延びた指針軸３１および小針軸３２が備えられ、これら指針軸３１および小針軸３２は、ムーブメント９０の上面に取り付けられた第１文字板４０よりも上方に突出している。
指針軸３１はムーブメント９０の上面の中心部に配置され、小針軸３２はムーブメント９０の上面の中心から外れた位置に配置されている。
指針軸３１には、時刻系指針１０の時針１１、分針１２および秒針１３並びに機能系指針２０の第２指針２２および第３指針２３が取り付けられていて、ムーブメント９０の働きにより、これら各指針１１，１２，１３，２２，２３を互いに独立して指針軸３１回りに回転させる。
小針軸３２には、機能系指針２０の第１指針２１が取り付けられていて、ムーブメント９０の働きにより、第１指針２１を小針軸３２回りに回転させる。
【００２０】
なお、これら各指針１１，１２，１３，２１，２２，２３の第１文字板４０からの高さ方向Ｈの位置（高さ位置）は、低い方から順に、第１指針２１、第２指針２２、第３指針２３、時針１１、分針１２、秒針１３となっている。
また、時刻系指針１０も機能系指針２０もともに、第１文字板４０の面に対して平行に延びて形成されているが、時針１１、分針１２および秒針１３はそれぞれ、指針軸３１に支持されている部分（被支持部分）と先端部分との間に、先端部分が被支持部分よりも高い位置となるように高さ位置を変化させる傾斜部１１ａ，１２ａ，１３ａが形成されている。
【００２１】
時針１１および分針１２は、指針軸３１から先端部の間がフレーム状（枠状）に形成され、そのフレーム状の内側の部分に、指針軸３１側から延びる小針のような形状の部分を有している。
第２指針２２は、指針軸３１を中心として互いに反対方向に延びるようにフレーム状に形成され、一方が長く、他方が短く形成されている。
第３指針２３は、指針軸３１から先端部までフレーム状に形成され、先端部が矢印の形状に形成されている。
【００２２】
ムーブメント９０の上面に配置された第１文字板４０は、図２，３に示すように、下側に配置された円板状の下板４１と上側に配置された円環状の上板４２とが重ね合わされて一体化された構造である。
このように２枚の板４１，４２を重ね合わせた構造とすることで、重ね合わせた部分と重ね合わされていない部分とで厚さ方向（高さ方向Ｈ）に段差が形成され、立体感を感じさせたり、２枚の板４１，４２で材質や色等に差異を与えることで、デザインを多様化させることができる。
ただし、本発明に係る時計における文字板は、本実施形態の第１文字板４０のように２枚重ね合わせで一体構造のものに限定されるものではなく、１枚のものであってもよいし、３枚以上重ね合わせたものであってもよい。
【００２３】
第１文字板４０の中心Ｃを含む部分には指針軸３１を通過させる指針軸孔４１ａが形成され、中心Ｃから外れた位置には小針軸３２を通過させる小針軸孔４１ｂが形成されている。
第１文字板４０とムーブメント９０の上面との間には、円板状の日板９１（円板）が配置されている。
日板９１は、カレンダーの日付（１，２，…，３１）の数字を周方向に沿って並べて表示したものであり、指針軸３１回りに回転する。
第１文字板４０の、指針軸孔４１ａを挟んで小針軸孔４１ｂとは反対側には、この日板９１に表示された日付の数字のうち１つ（所定の情報の一例）を露出させる日付表示窓４１ｃが形成されている。
【００２４】
第１文字板４０の小針軸孔４１ｂの周りには、「０」，「１」，…，「１０」の数字や目盛等の指標が表示され、また、日付表示窓４１ｃの傍には、「５００」の数字が表示されているが、これらの意味する内容については後述する。
【００２５】
第１文字板４０の上方に配置された見返しリング６０および第２文字板５０は、図２に示すように、下胴７２と風防ガラス８０とによって挟まれて、固定、支持されている。
【００２６】
見返しリング６０は、詳細には図４に示すように、時計１００の１２時の位置、３時の位置、６時の位置、９時の位置（時針１１の回転角度位置に対応した位置。以下、同じ。）には、それぞれ大きいサイズのインデックスが形成されている。
また、見返しリング６０の、相隣り合う方位の文字間の角度間隔を二分する角度４５［度］位置には、中サイズのインデックスが形成され、方位の文字と中サイズのインデックスとの間の角度間隔を二分する角度２２．５［度］位置には、小サイズのインデックスが形成されている。
なお、図示を省略したが、１２時、３時、６時、９時の各位置のインデックスにはそれぞれ、方位を示す「Ｎ」（北）、「Ｅ」（東）、「Ｓ」（南）、「Ｗ」（西）の各文字が形成されている。
以上説明した大サイズ、中サイズ、小サイズの各インデックスは、１２時の位置に対応した方位「Ｎ」を基準とした１６の方位を示している。
【００２７】
見返しリング６０の、４つの中サイズのインデックスに対応した外方部分には、上面から凹んだ凹部６１がそれぞれ形成されている。
これらの凹部６１は、後述する第２文字板５０の底面に４つ形成されたボス（短円柱状の凸部）５６が嵌め合わされるように形成されている。
なお、見返しリング６０の中心Ｃは、見返しリング６０が時計１００に組み込まれている状態で、指針軸３１に一致する位置である。
【００２８】
見返しリング６０と風防ガラス８０とによって挟まれている第２文字板５０は、図５に示すように、見返しリング６０よりも幅が広い円環状に形成されている。
この第２文字板５０は、図２に示すように、その外周側の部分５１が内周側の部分５２よりも高さ方向Ｈの高い位置となるように形成されている。
本実施形態のものでは、具体的には、水平の外周側の部分５１と水平の内周側の部分５２との間に段差部５３が形成されていて、この段差部５３と外周側の部分５１および内周側の部分５２との間にそれぞれ屈曲部５１ａ，５２ａ（図２）が形成されていることにより、外周側の部分５１と水平の内周側の部分５２との間に高さの差が形成されている。
【００２９】
図２Ａ，２Ｂに示した例では、段差部５３は、水平の外周側の部分５１から水平の内周側の部分５２に対して傾斜する傾斜部で形成しているが、水平の外周側の部分５１と水平の内周側の部分５２に対して垂直に形成してもよい。
なお、図５において、符号Ｄ１は、内周側の部分５２と段差部５３との境界（屈曲部５２ａ）を示す線（破線で表記）、符号Ｄ２は、段差部５３と外周側の部分５１との境界（屈曲部５１ａ）を示す線（破線で表記）である。
【００３０】
第２文字板５０は、図２に示すように、その外周側の部分５１が見返しリング６０と風防ガラス８０とによって挟まれることで、時計１００の内部で固定、支持されている。
第２文字板５０の底面（図５において紙面の裏側の面に対応する面）には、時計１００の１時半、４時半、７時半、１０時半の位置に、見返しリング６０の４つ凹部６１に対応したボス５６がそれぞれ形成されていて、図６に示すように、第２文字板５０のこれらの各ボス５６が、見返しリング６０の対応する凹部６１にそれぞれ嵌め合わされることで、第２文字板５０と見返しリング６０との、中心Ｃ回りの位置決めがなされ、両者の相対的な回り止めの機能も果たす。
【００３１】
段差部５３および内周側の部分５２は、上下面ともに、いかなるものにも接触せずに、高さ方向Ｈの空中に浮いた状態となっている。
【００３２】
ここで、第２文字板５０の内周側の部分５２は、機能系指針２０の先端部よりも上方の高さ位置で、時刻系指針１０の秒針１３および分針１２の各先端部分よりも下方の高さ位置に位置している。
すなわち、第２文字板５０の内周側の部分５２は、分針１２の先端部分の高さ位置と第３指針２３の高さ位置との間の位置に配置されている。
なお、この第２文字板５０の内周側の部分５２の高さ位置は、時刻系指針１０の時針１１の先端部分の高さ位置と一致しているが、時針１１の先端部分の高さ位置よりも低い位置に配置されていてもよい。
【００３３】
第２文字板５０の内周側の部分５２よりも、先端部分が高い位置に配置された分針１２および秒針１３は、いずれもその先端部分が平面視で第２文字板５０の内周側の部分５２に重なるように形成されている。
一方、第２文字板５０の内周側の部分５２よりも低い位置に配置された機能系指針２０のうち第３指針２３は、その先端部分が平面視で第２文字板５０の内周側の部分５２に重なるように形成されている。
【００３４】
第２文字板５０は透光性（可視光に対する透過性）を有しているため、風防ガラス８０の側から第１文字板４０を見たとき、図１に示すように平面視で第１文字板４０や見返しリング６０に第２文字板５０が重なる部分であっても、第２文字板５０を透過して第１文字板４０の表示や見返しリング６０の表示を視認することができる。
なお、第２文字板５０の透光性の度合いを表す透過度は、極端に高いものである必要はなく、むしろ、第１文字板４０のうち第２文字板５０を透過して見える部分と第２文字板５０を通さずに見える部分とで、見え方に差異が認められる程度の透過度に設定されている。
また、第２文字板５０の透過度を上述した程度に設定するのに代えて、第２文字板５０の表面における反射率を比較的大きく設定して、第１文字板４０のうち第２文字板５０を透過して見える部分と第２文字板５０を通さずに見える部分とで、見え方に差異が認められるようにしてもよい。
【００３５】
次に、各文字板４０，５０に表示されている指標について説明する。
第１文字板４０には、図３に示すように種々の指標が表示されている。
小針軸孔４１ｂを中心として形成された円４３は、小針軸孔４１ｂを貫通して第１文字板４０の上方に突出した小針軸３２に支持された第１指針２１が小針軸３２回りに回転して示す、海抜高度［ｍ］に関する表示を行う範囲（所定の情報を表示する表示部）であり、この円４３の外方周囲に時計回りに等角度間隔で配置された「０」〜「１０」の数字（機能系指標）は、海抜高度［ｍ］のうち、千の位の数字を表すものである。
一方、この円４３の内方には、「０」〜「１０」の数字の角度位置に対応して目盛が表示されている。
【００３６】
例えば、第１指針２１が数字「５」を指し示しているときは、この時計１００が位置している海抜高度が５０００［ｍ］台であることを表し、第１指針２１が数字「０」を指し示しているときは、この時計１００が位置している海抜高度が１０００［ｍ］未満であることを表している。
なお、第１指針２１が実際に指し示すのは、「０」〜「１０」の数字自体ではなく、「０」〜「１０」の数字の角度位置に対応して円４３の内方に形成された目盛である。
【００３７】
第１指針２１、第２指針２２、第３指針２３が指し示す海抜高度は、時計１００の９時の方向に設けられた圧力センサ９５（図１，２）によって検出された結果に基づいて、ムーブメント９０に内蔵されたマイクロチップにより算出される。
そして、時計１００の８時の方向に設けられた高度計ボタン９６（図１）が押されて「高度計モード」に移行したとき、圧力センサ９５で得られた圧力に対応した海抜高度を第１指針２１、第２指針２２、第３指針２３が指し示すように、マイクロチップが、同じくムーブメント９０に内蔵されたモータの駆動を制御して、小針軸３２および指針軸３１を回転させることによって実現している。
【００３８】
円４３の内方の、数字「１」から「５」の間に描かれた４つの小短冊状のマークは、後述する「通常モード」のときに、第１指針２１によって指し示される、ムーブメント９０に電力を供給する二次電池（図示省略）の充電残量を示すものであり、第１指針２１が数字「４」と「５」の中間位置を指し示しているときが満充電状態を表し、第１指針２１が数字「１」と「２」の中間位置を指し示しているときが要充電状態を表している。
【００３９】
日付表示窓４１ｃの図示左方に表示された数字「５００」は、第２文字板５０に描かれるべき海抜高度［ｍ］の内の百の位の数字を表す「１００」〜「９００」のうち、スペースの関係で第２文字板５０に描くことができなかった数字「５００」を表したものである。
【００４０】
第２文字板５０には、図５に示すように、多数の指標が表示されている。
外周側の部分５１には、時刻を表示するための指標（時刻系指標）が設けられている。
この指標は、時計の１２時の位置、１時の位置、…、１１時の位置にそれぞれ設けられた立体的な１２個のインデックスと、図示を省略した各インデックス間を等角度間隔で５等分する目盛とによって構成されている。
【００４１】
時刻系指標の内方で、外周側の部分５１と内周側の部分５２との間にある段差部５３には、海抜高度［ｍ］のうち十の位の数字（機能系指標）を表す「０」，「１０」〜「９０」が等角度間隔で配置されている。
なお、数字「７０」，「８０」はスペースの関係で、外周側の部分５１に表示されている。
この海抜高度［ｍ］の十の位の数字「０」〜「９０」を指し示すのは、機能系指針２０のうち指針軸３１に支持された第３指針２３である。
例えば、第３指針２３が数字「３０」を指し示しているときは、この時計１００が位置している海抜高度が例えば○●３０［ｍ］（○は海抜高度［ｍ］のうち千の位の数字、●は海抜高度［ｍ］のうち百の位の数字）であることを表し、第３指針２３が数字「０」を指し示しているときは、この時計１００が位置している海抜高度が例えば△▽００［ｍ］（△は海抜高度［ｍ］のうち千の位の数字、▽は海抜高度［ｍ］のうち百の位の数字）であることを表している。
【００４２】
海抜高度［ｍ］の十の位の数字の内方で、内周側の部分５２には、海抜高度［ｍ］のうち百の位の数字（機能系指標）を表す「１００」，「３００」〜「９００」が等角度間隔で配置されている。
なお、前述した通り、数字「５００」はスペースの関係で第１文字板４０に表示されている。
この海抜高度［ｍ］の百の位の数字「１００」〜「９００」を指し示すのは、機能系指針２０のうち指針軸３１に支持された第２指針２２である。
例えば、第２指針２２が数字「７００」を指し示しているときは、この時計１００が位置している海抜高度が例えば○７●０［ｍ］（○は海抜高度［ｍ］のうち千の位の数字、●は海抜高度［ｍ］のうち十の位の数字）であることを表し、第２指針２２が数字「１００」を指し示しているときは、この時計１００が位置している海抜高度が例えば△１▽０［ｍ］（△は海抜高度［ｍ］のうち千の位の数字、▽は海抜高度［ｍ］のうち十の位の数字）であることを表している。
【００４３】
時計１００を、１２時の位置と６時の位置とを結ぶ仮想線によって、左側の領域（９時の位置の側の領域）と右側の領域（３時の位置の側の領域）とに２分したとき、第１指針２１は左側の領域で表示し、第２指針２２は、主に、第１指針２１の領域（左側の領域）とは別の領域（右側の領域）で表示する。
特に、第２指針２２は、第１指針２１に重ならない１０時半〜６時（時針１１の回転角度位置に対応）の範囲で、海抜高度［ｍ］の百の位の数字「１００」〜「９００」を指し示すので、第１指針２１が指し示す海抜高度［ｍ］の千の位の数字の視認を妨げることがない。
【００４４】
各指針１１，１２，１３，２１，２２，２３は色分けされて、それぞれ対応する指標（目盛や数字、文字等）とほぼ同じ色で形成されているのが好ましい。
例えば、第１指針２１、第２指針２２、第３指針２３、時刻系指針１０は、互いに異なる色で形成されている。
そして、第１指針２１と、これに対応する目盛および数字「０」〜「１０」等とがほぼ同じ色に形成されている。
同様に、第２指針２２と、これに対応する目盛及び数字「１００」〜「９００」等とがほぼ同じ色に形成され、第３指針２３と、これに対応する目盛及び数字「０」〜「９０」および数字「（−９０）」〜「（−１０）」等とがほぼ同じ色に形成され、時針１１、分針１２および秒針１３と、これらに対応する時刻系の指標とがほぼ同じ色に形成されている。
【００４５】
内周側の部分５２のうち、時計１００の１０時半から１１時半に対応した時針１１の位置に描かれた梯子状の指標は、海抜高度が負（マイナス）の場合の高度［ｍ］の百の位を表すものであり、この梯子の３つの窓のうち１０時半側の窓を第２指針２２が指し示しているときは、この時計１００が位置している高度が−３００［ｍ］台であり、３つの窓のうち１１時の窓を第２指針２２が指し示しているときは、この時計１００が位置している高度が−２００［ｍ］台であり、３つの窓のうち１１時半の窓を第２指針２２が指し示しているときは、この時計１００が位置している高度が−１００［ｍ］台であることを表している。
なお、段差部５３に表された、海抜高度［ｍ］のうち十の位の各数字「０」，「１０」〜「９０」の近接した外方には、括弧で囲まれた負の数字「（−９０）」，「（−８０）」，…、「（−１０）」が配置されているが、この数字は、海抜高度が負（マイナス）の場合の高度［ｍ］の十の位を表すものであり、例えば、第３指針２３が数字「（−８０）」を指し示しているときは、この時計１００が位置している高度が−●８０［ｍ］（●は高度［ｍ］のうち負の百の位の数字）台であり、第３指針２３が数字「（−２０）」を指し示しているときは、この時計１００が位置している高度が−○２０［ｍ］（○は高度［ｍ］のうち負の百の位の数字）台であることを表している。
本実施形態の時計１００は、海抜高度をメートル単位で表示しているが、メートル単位に代えてフィート単位で表示するようにしてもよい。
【００４６】
第２文字板の内周側の部分５２の縁部は円ではなく、図５に示すように、部分的に切り欠かれている。
具体的には、時計１００の９時の方向の部分には半円形状の切欠き５４が形成され、３時方向の部分には矩形状の切欠き５５が形成されている。
なお、端面図を表す図２Ｂにおいては、切欠き５５は想像線の二点鎖線で表記されている。
半円形状の切欠き５４は、第１文字板４０に表示された円４３の輪郭４３ａに対応した輪郭５４ａを有するものであり、平面視で、第２文字板５０を通さずに第１文字板４０の円４３を見通すことができるようになっている。
したがって、仮に、第２文字板５０が、第１指針２１やその周囲の指標の視認を妨げるような色や透過度であっても、これらの情報をはっきりと視認することができる。
つまり、この半円形状の切欠き５４は、平面視で輪郭５４ａが第１文字板４０の円４３の輪郭４３ａに沿うように形成されている。
【００４７】
また、この半円形状の切欠き５４は、図７に示すように、先端部分が第２文字板５０の内周側の部分５２よりも高い位置（同じ高さ位置を含む）に配置される時刻系指針１０の先端部分の向きを、この切欠き５４が形成された９時の方向の回転角度位置に揃えて重ね合わせた状態で、時刻系指針１０と第２文字板５０とが平面視（指針軸３１の延びた方向での視線で見た状態）で重ならないように設定されている。
具体的には、本実施形態の半円形状の切欠き５４は、時刻系指針１０の幅よりも相当程度大きい半径で形成されているため、実質的には、第２文字板５０の中心Ｃから切欠き５４の輪郭５４ａのうち中心Ｃから最も遠い部分までの距離Ｌ０が、時刻系指針１０のうち平面視で指針軸３１から先端部分までの長さＬが最も長い指針（本実施形態では秒針１３）のその長さＬよりも長くなるように、切欠き５４は形成されている。
この結果、第２文字板５０が組み込まれた状態のケース７０に、全ての指針１１〜２３が取り付けられた状態のムーブメント９０を、裏蓋７４の側から真っすぐ（高さ方向Ｈに沿って）組み付ける際に、時刻系指針１０のうち、少なくとも分針１２と秒針１３とが回転中で所定の回転角度位置である９時の方向を指示しているときに、時刻系指針１０は切欠き５４を通過して第２文字板５０よりも高い位置にセットされ、時刻系指針１０が第２文字板５０に干渉するのを防止することができる。
【００４８】
矩形状の切欠き５５は、第１文字板４０に形成された日付表示窓４１ｃに対応した輪郭５５ａを有するものであり、平面視で、第２文字板５０を通さずに日付表示窓４１ｃから露出した日付（所定の情報を表示する表示部）を見通すことができるようになっている。
したがって、仮に、第２文字板５０が、日付の視認を妨げるような色や透過度であっても、矩形状の切欠き５５を介して日付表示窓４１ｃの日付をはっきりと視認することができる。
矩形状の切欠き５５も、半円形状の切欠き５４と同様に、第２文字板５０の中心Ｃから、切欠き５５の輪郭５５ａのうち中心Ｃから最も遠い部分までの距離が、時刻系指針１０のうち、平面視で指針軸３１から先端部分までの長さＬが最も長い秒針１３のその長さＬよりも長くなるように、切欠き５５が形成されている。
したがって、前述のように、ムーブメント９０を裏蓋７４の側から真っすぐ組み付ける際に、時刻系指針１０のうち少なくとも分針１２と秒針１３とが回転中で、所定の回転角度位置である３時の方向を指示しているときに、時刻系指針１０は切欠き５５を通過して第２文字板５０よりも高い位置にセットすることもできる。
【００４９】
（作用、効果）
以上のように構成された時計１００は、先端部分が第２文字板５０の内周側の部分５２よりも高い位置に配置された時刻系指針１０は、第２文字板５０の外周側の部分５１に表示された時刻系指標（１２個のインデックス、図示しない各インデックス間を等角度間隔で５等分する目盛）を指示する。
一方、機能系指針２０のうち高さ方向Ｈの位置が最も低い位置の第１指針２１は、第２文字板５０よりも低い位置の第１文字板４０に表示された指標（機能系指標）を指示し、第２文字板５０よりも低い位置の第２指針２２および第３指針２３は、第２文字板５０の内周側の部分５２に表示された機能系指標、第２文字板５０の段差部５３に表示された機能系指標を、第２文字板５０の下面側でそれぞれ指示する。
【００５０】
つまり、時刻系指針１０は、第２文字板５０の上面側から第２文字板５０の時刻系指標を指示し、機能系指針２０は、第２文字板５０の下面側から第２文字板５０の機能系指標を指示するか、または第１文字板４０の機能系指標を指示することになる。
そして、第２文字板５０は、その透過度や表面における反射の状態により、その存在が視認可能であるため、使用者に対して、時刻系指針１０の先端部分が第２文字板５０よりも高い位置にあることを容易に認識させることができるとともに、機能系指針２０が第２文字板５０よりも低い位置に存在することを容易に認識させることができる。
この結果、使用者に対して、第２文字板５０に対して高い位置に存在する時刻系指針１０と、第２文字板５０に対して低い位置に存在する機能系指針２０とを、容易に識別させることができる。
【００５１】
なお、第２文字板５０よりも高い位置に配置される分針１２および秒針１３は、指標を指し示す先端部分のうち少なくとも一部が、平面視で第２文字板５０に重なるため、その重なり状態により、第２文字板５０との上下関係（高さ方向Ｈでの位置関係）を一層容易に認識させることができる。
同様に、第２文字板５０よりも低い位置に配置される第３指針２３は、指標を指し示す先端部分のうち少なくとも一部が、平面視で第２文字板５０に重なるため、その重なり状態により、第２文字板５０との上下関係（高さ方向Ｈでの位置関係）を一層容易に認識させることができる。
【００５２】
ここで、図８に示すように、第２文字板５０に描かれた機能系指標のうち、数字「（−３０）」の内側で段差部５３に形成された指標（目盛）「−」は、第１文字板４０に描かれた機能系指標のうち数字「２」に、平面視で一部が重ね合わされているが、第２文字板５０の下方を通る第３指針２３が、両指標「−」，「２」の間を通るような長さで形成されている場合には、第３指針２３が第１文字板４０の数字「２」を隠すため、第３指針２３によって指示される指標「−」が数字「２」に重なって見えにくくなるのを防止することができる。
【００５３】
この場合、第３指針２３が第１文字板４０の数字「２」を隠す範囲は数字「２」の一部でもよく、第３指針２３が第１文字板４０の数字「２」に平面視で重なる範囲を通るようにすれば、視認性を向上することができる。
これは、第２文字板５０の段差部５３に描かれた指標の例であるが、第２文字板５０の内周側の部分５２または外周側の部分５１に描かれた指標の場合も、第２文字板５０の下方を通る指針によって、第２文字板５０の指標と平面視で重なる第１文字板５０に描かれた指標を隠すように構成すれば、同様の効果が得ることができる。
【００５４】
また、第２文字板５０における段差部５３に描かれた指標は、仮に、第１文字板４０の指標に平面視で重なっていた場合であっても、第１文字板４０の指標に対して傾いていることによっても、重なって見えにくくなるのを防止することができる。
【００５５】
第２文字板５０に表示されている指標のうち、いずれが時刻系指標であるかについては、使用者の経験によって容易に認識することはできるため、いずれの指針が時刻系指針１０であるかが認識されれば、時刻系指針１０と時刻系指標との対応関係が明確になる。
そして、本実施形態の時計１００は、第２文字板５０よりも高い位置に配置された時刻系指針１０を機能系指針２０と容易に識別させることができるため、使用者に対して、時刻系指針１０と時刻系指標との対応関係を容易に認識させることができる。
【００５６】
一方、第２文字板５０に表示されている指標のうち時刻系指標を除いたものが機能系指標であり、メートルの単位表示等に基づいて、いずれの指針が機能系指針２０であるかが認識されれば、機能系指針２０と機能系指標との対応関係が明確になる。
そして、本実施形態の時計１００は、第２文字板５０よりも低い位置に配置された機能系指針２０を時刻系指針１０と容易に識別させることができるため、使用者に対して、機能系指針２０と機能系指標との対応関係を容易に認識させることができる。
したがって、時計１００の使用者に対して、一見して、時刻系の情報と機能系の情報とを識別させることができる。
【００５７】
また、本実施形態に係る時計１００は、第２文字板５０の外周側の部分５１が、見返しリング６０や風防ガラス８０によって支持されているが、第２文字板５０は内周側の部分５２と外周側の部分５１とで高さ位置が異なるもので形成されているため、第２文字板５０の外周側の部分５１の高さ位置に拘わらず、内周側の部分５２を、任意の２つの指針（本実施形態では、分針１２と第３指針２３）の各高さ位置の間の高さ位置に配置することができる。
つまり、第２文字板５０の外周側の部分５１を支持する見返しリング６０等の高さ位置と、内周側の部分５２を配置しようとする高さ位置とが異なる場合であっても、その高さ位置の差分に対応した高さの差で段差部５３を形成することにより、見返しリング６０等で支持される部分の高さ位置の高低に拘わらず、内周側の部分５２を任意の２つの指針（本実施形態では、分針１２と第３指針２３）の各高さ位置の間に配置することができる。
【００５８】
したがって、第２文字板５０の内周側の部分５２を任意の高さ位置に配置するに際して、この第２文字板５０を固定、支持する部分や指針軸３１を変更する必要がなく、製造コストの上昇を抑制することができる。
しかも、本実施形態の時計１００によれば、第２文字板５０を配置する高さ位置の自由度を高めることができる。
【００５９】
なお、本実施形態の時計１００における時刻系指針１０は、上述したように、常に時刻系指標を指し示して現在時刻を表示するものであるが、機能系指針２０は、以下の動作モードに応じて動作内容が変化する。
すなわち、時計１００の高度計ボタン９６および方位計ボタン９７の操作により「高度計モード」や「方位計モード」に設定されていないときは、ムーブメント９０のマイクロチップの制御により「通常モード」となる。
そして、「通常モード」では、第１指針２１は、ムーブメント９０に電力を供給するためにムーブメント９０に装着された二次電池の充電残量に対応した指標（４つの小短冊状のマーク）を指し示すとともに、第２指針２２および第３指針２３は、いずれも時計１００の１２時の位置の方向に向いて停止される。
【００６０】
時計１００の高度計ボタン９６が押されたときは、ムーブメント９０のマイクロチップの制御により「高度計モード」となる。
この「高度計モード」では、第１指針２１は、圧力センサ９５で得られた圧力に対応した海抜高度に対応した指標を第１指針２１、第２指針２２、第３指針２３がそれぞれ指し示す。
【００６１】
時計１００の方位計ボタン９７が押されたときは、マイクロチップの制御により「方位計モード」となる。
この「方位計モード」では、第１指針２１は「通常モード」と同じく二次電池の充電残量の指標を指示して充電残量を表示し、第２指針２２は時計１００が存在する環境における現実の方位の「北」を指し示し、第３指針２３は「通常モード」と同じく、時計１００の１２時の位置の方向に向いて停止される。
【００６２】
なお、「方位計モード」において、見返しリング６０に形成された１２時の位置の「北」に対応するインデックスを、第２指針２２が指す「北」の方位に一致する向きに時計１００を向けることで、見返しリング６０に形成した１６個のインデックスから、方位を読み取ることができる。
【００６３】
また、高度計ボタン９６と方位計ボタン９７とを同時に押すなどの、使用者に積極的に知らせない特殊な操作（隠しコマンドのような操作）が行われたときは、マイクロチップの制御により「メンテナンスモード」となるように構成してもよい。
この「メンテナンスモード」は、時刻系指針の時針１１、分針１２、秒針１３を、それらの各先端部分の向きが所定の回転角度位置である時計１００の３時の方向または９時の方向となるように、マイクロチップがムーブメントを制御する。
これにより、第２文字板５０が組み込まれた状態のケース７０に、全ての指針１１〜２３が取り付けられた状態のムーブメント９０を、裏蓋７４の側から真っすぐ（高さ方向Ｈに沿って）組み付ける際や、これとは反対に時計１００の裏蓋７４の側から、指針１１〜２３が取り付けられた状態のムーブメント９０を引き出す際に、時刻系指針１０を第２文字板５０の切欠き５４の部分で通過させることができ、組み立て作業やメンテナンス作業を容易にすることができる。
【００６４】
本実施形態の時計１００は、表示する機能として高度を適用したものであるが、本発明に係る時計において表示する時刻以外の機能としては、高度に限定されるものではなく、水深計等の他の物理量を表示するものであってもよい。
【００６５】
本実施形態の時計１００は、第２文字板５０が、外周側の部分５１が内周側の部分５２よりも高い位置となる段差部５３を有する形態の例であるが、本発明に係る時計は、この形態に限定されるものではなく、指標板として、その外周側の部分が内周側の部分よりも低い位置となる段差部を有するものであってもよい。
【００６６】
また、本発明の時計における指標板は、水平な外周側の部分と水平な内周側の部分との間に水平ではない段差部を形成することで、外周側の部分と水平な内周側の部分との間で高さ位置に差を形成したものに限定されるものではなく、例えば図９に示すように、第２文字板５０（指標板）の全体を、外周側の部分５１と内周側の部分５２とを含めて、水平ではない滑らかに連なる傾斜面（中心Ｃを通る鉛直面での断面において傾斜度合いが一定の直線状であってもよいし、傾斜度合いが変化する曲線状であってもよい）によって形成することで、外周側の部分と水平な内周側の部分との間で高さ位置に差を形成したものであってもよい。
【００６７】
本実施形態の時計１００は、時針１１、分針１２および秒針１３がそれぞれ傾斜部１１ａ，１２ａ，１３ａを有するものであるが、本発明に係る指針は、このような傾斜部を有するものに限定されるものではなく、水平に一直線状に延びたものであってもよい。
ただし、本発明の時計は、指標板の内周側の部分の高さ位置に最も近い高さ位置の指針については、その先端部分が指標板の内周側の部分から遠ざかるような（高さ方向の高くなる向きまたは低くなる向きへの）傾斜部を有するものは、指針の先端部と指標板との上下関係が明確になるように指針側でも、指標板に対する指針の先端部の高さ位置を調整することができるため好ましい。
したがって、本実施形態の時計１００においては、時刻系指針１０が、その先端部分が被支持部分よりも高くなるような傾斜部を有するものとするのに代えて、機能系指針２０が、その先端部分が被支持部分よりも低くなるような傾斜部を有するものとしてもよい。
【００６８】
また、指針軸に支持される被支持部分が、指標板の内周側の部分よりも高い位置にある指針であっても、指針の先端部が指標板の内周側の部分よりも低い位置になるように、指針の傾斜部を構成してもよいし、指針の被支持部分および先端部と指標板の内周側の部分との高さ位置の関係を、これとは反対の構成にしてもよい。
【００６９】
なお、本実施形態の時計１００における第２文字板５０は、中心Ｃ回りの１周が繋がった完全な環状（Ｏ字状）であるが、本発明に係る時計における指標板は、完全な環状のものに限定されるものではなく、中心回りの１周のうち一部が欠けていて完全には繋がっていないが略環状のもの（Ｃ字状など）も本発明における「環状」に含む。
この場合、本実施形態における切欠き５４や切欠き５５を、内周側の部分５２から外周側の部分５１の縁まで延長して、繋がっていない部分としてもよい。
また、時計として、第２文字板５０よりも上方の高さ位置と第２文字板５０よりも下方の高さ位置とにそれぞれ１つ以上の指針が設けられたものであれば、本発明を適用することができる。
【符号の説明】
【００７０】
１０      時刻系指針
１１      時針
１２      分針
１３      秒針
２０      機能系指針
２１      第１指針
２２      第２指針
２３      第３指針
３１      指針軸
４０      第１文字板
５０      第２文字板
５１      外周側の部分
５２      内周側の部分
５３      段差部
６０      見返しリング
７０      ケース
７４      裏蓋
８０      風防ガラス
９０      ムーブメント
９６      高度計ボタン
９７      方位計ボタン
１００    腕時計、時計
Ｃ        中心
Ｈ        高さ方向
【図１】
2014215050.tif 000003
【図２Ａ】
2014215050.tif 000004
【図２Ｂ】
2014215050.tif 000005
【図３】
2014215050.tif 000006
【図４】
2014215050.tif 000007
【図５】
2014215050.tif 000008
【図６】
2014215050.tif 000009
【図７】
2014215050.tif 000010
【図８】
2014215050.tif 000011
【図９】
2014215050.tif 000012